(57)【要約】【課題】画像の読み取り状況の視認性を、操作パネルに表示した場合よりも向上させた画像読取装置及び画像形成装置を提供する。【解決手段】画像読取装置１は、主走査方向に沿って設けられ、照射光を発する発光部２４と、発光部２４の照射光を第１及び第２の方向に導く導光体２５と、第１の方向に導かれた照射光により原稿Ｐの画像を読み取る画像読取部と、発光部２４及び導光体２５を収容する収容空間２０ｂを形成し、第２の方向に導かれた照射光を収容空間２０ｂから外部に透過させる第１透過窓２２及び第２透過窓２３を有するケース２０ａとを有する。【選択図】図５
2011024171.tif 000002
【特許請求の範囲】
【請求項１】
主走査方向に沿って設けられ、照射光を発する光源と、
前記照射光を第１及び第２の方向に導く導光部と、
前記第１の方向に導かれた前記照射光により原稿の画像を読み取る画像読取部と、
前記光源及び前記導光部を収容する収容空間を形成し、前記第２の方向に導かれた前記照射光を前記収容空間から外部に透過させる透過部材を有する収容部とを備えた画像読取装置。
【請求項２】
前記導光部は、前記光源に対向する入射面から入射した前記照射光を前記原稿に向かう第１の方向に導く第１領域と、前記第１領域から前記収容部の前記透過部材に向かって主走査方向に延長して設けられ、前記照射光を前記透過部材に向かう第２の方向に導く第２領域とを有する透明体である請求項１に記載の画像読取装置。
【請求項３】
前記光源及び前記導光部を副走査方向に移動させる移動部を備え、
前記透過部材は、前記移動部による前記光源及び前記導光部の移動中に前記導光部によって前記第２の方向に導かれた前記照射光を前記収容空間から外部に透過させるように副走査方向に沿って設けられている請求項１又は２に記載の画像読取装置。
【請求項４】
前記透過部材は、前記画像読取部が前記収容部に対して副走査方向に移動する原稿を読み取る場合の前記導光部の位置に対応して設けられた第１透過窓、及び前記画像読取部が前記収容部に設けられた原稿台に置かれた原稿を読み取る場合の前記導光部の位置に対応して設けられた第２透過窓とを備えた請求項１乃至３のいずれか１項に記載の画像読取装置。
【請求項５】
前記透過部材には、前記導光部によって前記第２の方向に導かれた前記光源の光を拡散する処理が施されている請求項１乃至４のいずれか１項に記載の画像読取装置。
【請求項６】
前記導光部の前記第２領域には、前記照射光を拡散する処理が施されている請求項２乃至５のいずれか１項に記載の画像読取装置。
【請求項７】
主走査方向に沿って設けられ、照射光を発する光源と、
前記照射光を第１及び第２の方向に導く導光部と、
前記第１の方向に導かれた前記照射光により原稿の画像を読み取る画像読取部と、
前記光源及び前記導光部を収容する収容空間を形成し、前記第２の方向に導かれた前記照射光を前記収容空間から外部に透過させる透過部材を有する収容部と、
前記画像読取部で読み取った前記原稿の画像の情報に基づいて記録媒体に画像を形成する画像形成部とを備えた画像形成装置。
【発明の詳細な説明】
【技術分野】
【０００１】
本発明は、画像読取装置及び画像形成装置に関する。
【背景技術】
【０００２】
原稿の読み取り状況を利用者がモニタすることのできる画像処理装置が知られている（例えば、特許文献１の段落［０１４３］参照）。
【０００３】
特許文献１に記載の画像処理装置では、利用者が各種の設定等を行う操作パネルに原稿のスキャンの状況が表示されるようになっている。
【先行技術文献】
【特許文献】
【０００４】
【特許文献１】特開２００４−３２２５６号公報
【発明の概要】
【発明が解決しようとする課題】
【０００５】
本発明の目的は、画像の読み取り状況の視認性を、操作パネルに表示した場合よりも向上させた画像読取装置及び画像形成装置を提供することにある。
【課題を解決するための手段】
【０００６】
［１］主走査方向に沿って設けられ、照射光を発する光源と、前記照射光を第１及び第２の方向に導く導光部と、前記第１の方向に導かれた前記照射光により原稿の画像を読み取る画像読取部と、前記光源及び前記導光部を収容する収容空間を形成し、前記第２の方向に導かれた前記照射光を前記収容空間から外部に透過させる透過部材を有する収容部とを備えた画像読取装置。
【０００７】
［２］前記導光部は、前記光源に対向する入射面から入射した前記照射光を前記原稿に向かう第１の方向に導く第１領域と、前記第１領域から前記収容部の前記透過部材に向かって主走査方向に延長して設けられ、前記照射光を前記透過部材に向かう第２の方向に導く第２領域とを有する透明体である前記［１］に記載の画像読取装置。
【０００８】
［３］前記光源及び前記導光部を副走査方向に移動させる移動部を備え、前記透過部材は、前記移動部による前記光源及び前記導光部の移動中に前記導光部によって前記第２の方向に導かれた前記照射光を前記収容空間から外部に透過させるように副走査方向に沿って設けられている前記［１］又は［２］に記載の画像読取装置。
【０００９】
［４］前記透過部材は、前記画像読取部が前記収容部に対して副走査方向に移動する原稿を読み取る場合の前記導光部の位置に対応して設けられた第１透過窓、及び前記画像読取部が前記収容部に設けられた原稿台に置かれた原稿を読み取る場合の前記導光部の位置に対応して設けられた第２透過窓とを備えた前記［１］乃至［３］のいずれかに記載の画像読取装置。
【００１０】
［５］前記透過部材には、前記導光部によって前記第２の方向に導かれた前記光源の光を拡散する処理が施されている前記［１］乃至［４］のいずれかに記載の画像読取装置。
【００１１】
［６］前記導光部の前記第２領域には、前記照射光を拡散する処理が施されている前記［２］乃至［５］のいずれかに記載の画像読取装置。
【００１２】
［７］主走査方向に沿って設けられ、照射光を発する光源と、前記照射光を第１及び第２の方向に導く導光部と、前記第１の方向に導かれた前記照射光により原稿の画像を読み取る画像読取部と、前記光源及び前記導光部を収容する収容空間を形成し、前記第２の方向に導かれた前記照射光を前記収容空間から外部に透過させる透過部材を有する収容部と、前記画像読取部で読み取った前記原稿の画像の情報に基づいて記録媒体に画像を形成する画像形成部とを備えた画像形成装置。
【発明の効果】
【００１３】
請求項１，７に記載の発明によれば、画像の読み取り状況の視認性を、操作パネルに表示した場合よりも向上させることができる。
【００１４】
請求項２に記載の発明によれば、第１領域から透過部材に向かって延長された第２部材によって光源の照射光を導くことができる。
【００１５】
請求項３に記載の発明によれば、光源及び導光部の副走査方向への移動の状態を透過部材を透過する光によって示すことができる。
【００１６】
請求項４に記載の発明によれば、透過部材を透過する光の位置によって読取部の読み取り状況を示すことができる。
【００１７】
請求項５，６に記載の発明によれば、光源の照射光を拡散して透過部材から透過させることができる。
【図面の簡単な説明】
【００１８】
【図１】図１は、本発明の実施の形態に係る画像読取装置を有する画像形成装置の外観図である。
【図２】図２は、本発明の実施の形態に係る画像読取装置の構成を示す概略図である。
【図３】図３は、本発明の実施の形態に係る導光体を示す図である。図３（ａ）は導光体の斜視図を、図３（ｂ）は導光体の側面図を示す。
【図４】図４は、本発明の実施の形態に係る画像読取装置の構成を示す概略図である。
【図５】図５は、本発明の実施の形態に係る画像読取装置のケースの一部を切り取って示す、画像読取装置の構成を示す概略図である。
【図６】図６は、本発明の実施の形態に係る操作部、第１透過窓及び第２透過窓の構成例を示す概略図である。
【図７】図７は、本発明の他の実施の形態に係る導光体の変形例を示す図である。
【発明を実施するための形態】
【００１９】
（画像形成装置の全体構成）
図１は、本発明の実施の形態に係る画像読取装置を有する画像形成装置の外観図である。画像形成装置１００は、画像読取装置１と、画像形成部３と、トレイ４と、支持部５から大略構成されている。
【００２０】
画像読取装置１は、自動給紙部１０と読取部２０とを有している。自動給紙部１０は、読取部２０に対して開閉可能に、読取部２０の上部に設けられている。自動給紙部１０には、読取部２０で読み取られる原稿を置くための給紙トレイ１１、及び給紙トレイ１１から後述の原稿搬送機構によって搬送された原稿が排出される排紙台１２が設けられている。
【００２１】
読取部２０は、収容部としてのケース２０ａの内部に後述する画像読取部等を有して構成されている。ケース２０ａの正面には、利用者が各種の設定等を行う操作パネル２１０及び複数の操作ボタン２１１を有する操作部２１が設けられている。また、操作部２１の上側（自動給紙部１０側）には、後述する第１透過窓２２及び第２透過窓２３が設けられている。
【００２２】
画像形成部３は、画像読取装置１の下側に配置されている。画像形成部３の上面には用紙排出台３２が設けられ、画像読取装置１で読み取った原稿の画像情報に基づく印刷が行われた記録媒体としての用紙が用紙排出部３１から用紙排出台３２に排出される。
【００２３】
トレイ４は、大きさ等の異なる複数の用紙を格納する第１トレイ部４１，第２トレイ部４２，及び第３トレイ部４３を有して構成され、画像形成部３での印刷に必要な用紙を供給する。
【００２４】
支持部５は、画像読取装置１を画像形成部３との間に間隔を置いて支持している。支持部５には、画像読取装置１と画像形成部３と間で情報の受け渡しを行うための図略の通信線が収容されている。
【００２５】
（自動給紙部１０及び読取部２０の構成）
図２は、自動給紙部１０及び読取部２０の内部構造を示す。画像読取装置１は、自動給紙部１０の給紙トレイ１１に置かれた原稿Ｐを排紙台１２に搬送しながら読み取る第１の読取モードと、プラテンガラスからなる原稿台２０１に置かれた原稿を読み取る第２の読取モードとを、利用者の操作に応じて切り替え可能である。図２は、第１の読取モードにおける原稿読み取り時の状態を示している。
【００２６】
自動給紙部１０は、原稿分離ロール１３，原稿搬送ロール１４，読取ロール１５及び排出ロール１６から構成される原稿搬送機構を有している。原稿Ｐは、読取部２０のケース２０ａの上面に設けられた窓部２０２に面する位置では副走査方向に移動する。窓部２０２と原稿台２０１との間には、原稿Ｐを案内するガイド部２０３が設けられている。
【００２７】
読取部２０は、収容空間２０ｂに、原稿Ｐを照射する光源としての発光部２４と、発光部２４の光を原稿Ｐに導く導光部としての導光体２５及びリフレクタ２６０と、原稿Ｐの画像を読み取るための第１ミラー２６１，第２ミラー２６２，第３ミラー２６３、レンズ２６４，及び画像センサ２６５とを有している。発光部２４，導光体２５，リフレクタ２６０，及び第１ミラー２６１は、第１キャリッジ２７０に固定され、第１キャリッジ２７０と共に副走査方向に移動可能である。また、第２ミラー２６２及び第３ミラー２６３は、第２キャリッジ２７２に固定され、第２キャリッジ２７２と共に副走査方向に移動可能である。
【００２８】
発光部２４は、主走査方向（図２の紙面に直交する方向）に沿って設けられた基板２４０と、基板２４０上に主走査方向に向かって配列された複数のＬＥＤ２４１とを有する。導光体２５は、ＬＥＤ２４１の発光面に入射面２５ａが対向するように配置されている。基板２４０，ＬＥＤ２４１，及び導光体２５は、導光体２５の放射面２５ｂから放射された光が窓部２０２を介して斜めから原稿Ｐを照射するよう、窓部２０２の垂線に対して傾斜して配置されている。リフレクタ２６０は、導光体２５の側面２５ｃで内部反射して放射面２５ｂから放射された光を反射し、原稿Ｐを照射する角度で第１キャリッジ２７０に固定されている。
【００２９】
発光部２４の照射光に照射された原稿Ｐの反射光は、第１ミラー２６１，第２ミラー２６２，及び第３ミラー２６３によってレンズ２６４に導かれる。レンズ２６４を通過した光は画像センサ２６５上に結像し、画像情報として読み取られる。第１ミラー２６１，第２ミラー２６２，第３ミラー２６３，レンズ２６４及び画像センサ２６５は、画像読取部を構成する。
【００３０】
図３（ａ）は、導光体２５の外観を示す斜視図である。導光体２５は、透明樹脂（例えばＰＭＭＡ；ポリメタクリル酸メチル樹脂）やガラス等の光透過性を有する材料で形成された透明体からなる多面体であり、ＬＥＤ２４１の発光面に対向する部分は四角柱状に形成され、主走査方向の操作部２１に近い側の端部は先端部２５ｄに近づくにつれて厚みが薄くなるプリズム状に形成されている。
【００３１】
図３（ｂ）に示すように、一つのＬＥＤ２４１から入射面２５ａに直角な方向に入射した光Ｒ０は、直進して放射面２５ｂから出てゆくが、入射面２５ａに対して斜め方向に放射された光Ｒ１は、放射面２５ｂで内部反射し、さらに入射面２５ａと先端部２５ｄとの間に形成された第１斜面２５ｅでも内部反射して、放射面２５ｂと先端部２５ｄとの間に形成された第２斜面２５ｆから放射される。
【００３２】
また、別のＬＥＤ２４１から入射面２５ａに対して斜め方向に放射された光Ｒ２は、第２斜面２５ｆから放射される。このように、導光体２５は、ＬＥＤ２４１の照射光を、放射面２５ｂから出て原稿Ｐに向かう第１の方向の光と、第２斜面２５ｆから出て第１の方向とは異なる方向に向かう第２の方向の光とに分けるように形成されている。
【００３３】
導光体２５のうち、ＬＥＤ２４１に対向し、入射面２５ａから入射したＬＥＤ２４１の光を原稿Ｐを照射するように導く部分が第１領域Ａ１であり、第１領域Ａ１よりも主走査方向側に延長して設けられ、第１領域Ａ１の先端部２５ｄ側に位置する部分が第２領域Ａ２である。
【００３４】
読取部２０はまた、第１キャリッジ２７０及び第２キャリッジ２７２を副走査方向に移動させる移動部としての駆動機構を有している（図２参照）。駆動機構は、モータ２７１，第２キャリッジ２７２，固定プーリ２７３及びワイヤ２７４等から構成される。この駆動機構では、ケース２０ａの側面２０ｃに固定されたモータ２７１を回転させることにより、その回転力をモータ２７１の回転軸に設けられたプーリ２７１ａ，第２キャリッジ２７２に設けられた大径プーリ２７２ａと小径プーリ２７２ｂ，及びケース２０ａの側面２０ｄに固定された固定プーリ２７３に架け回されたワイヤ２７４を介して第１キャリッジ２７０の移動力に変換する。ワイヤ２７４は固定部２７０ａで第１キャリッジ２７０に固定されている。
【００３５】
ワイヤ２７４の一端部２７４ａは側面２０ｄの固定プーリ２７３の近傍に固定され、ワイヤ２７４の他端部２７４ｂは固定プーリ２７３とモータ２７１との間の位置でケース２０ａに対して移動不能に固定されている。ワイヤ２７４は、一端部２７４ａから順に、第２キャリッジ２７２の小径プーリ２７２ｂ、固定プーリ２７３、モータ２７１のプーリ２７１ａ、第２キャリッジ２７２の大径プーリ２７２ａに架け回されている。
【００３６】
第１キャリッジ２７０及び第２キャリッジ２７２は、図略のレールにより副走査方向に案内される。モータ２７１を一方向に回転させると、第１キャリッジ２７０は副走査方向の一方に移動し、第２キャリッジ２７２は第１キャリッジ２７０と同方向に半分の量だけ移動する。また、モータ２７１を逆方向に回転させると、第１キャリッジ２７０は副走査方向の逆方向に移動し、第２キャリッジ２７２は第１キャリッジ２７０と同方向に半分の量だけ移動する。
【００３７】
（第１の読取モードによる原稿の読み取り時の動作）
第１の読取モードでは、次のように画像読取装置１が動作する。
【００３８】
利用者が給紙トレイ１１に原稿Ｐを置いて操作部２１により原稿の読み取りを起動すると、自動給紙部１０の原稿搬送機構が作動し、原稿分離ロール１３，原稿搬送ロール１４，読取ロール１５及び排出ロール１６が原稿を搬送する方向に回転する。原稿Ｐは、各ロールに案内され、排紙台１２まで搬送される。
【００３９】
原稿Ｐは、読取ロール１５と窓部２０２との間を通過する際に、発光部２４の照射光によって照射される。原稿Ｐの表面で反射した光は、第１ミラー２６１，第２ミラー２６２，第３ミラー２６３によってレンズ２６４に導かれ、画像センサ２６５に結像し、画像情報として読み取られる。この間、駆動機構は第１キャリッジ２７０を図２に示す第１ホームポジションの位置（窓部２０２から発光部２４の光が原稿を照射する位置）に固定する。
【００４０】
１枚の原稿Ｐが窓部２０２の読取ロール１５を通過する間に読み取られた画像情報は、原稿Ｐの１枚分の画像情報ファイルとして図略の記憶部に記憶される。記憶部に記憶された画像情報は、画像形成部３に出力され、トレイ４に格納された用紙に印刷される。
【００４１】
（第２の読取モードによる原稿の読み取り時の動作）
図４は、第２の読取モードによる原稿の読み取り時の自動給紙部１０及び読取部２０の内部構造を示す。利用者が自動給紙部１０を読取部２０の上方に開けて原稿台２０１に原稿Ｐを置き、自動給紙部１０を閉めて操作部２１により原稿の読み取りを起動すると、駆動機構は第１キャリッジ２７０を図４に実線で示す第２ホームポジションの位置（原稿台２０１の副走査方向の端部から発光部２４の光が原稿を照射する位置）に移動させる。
【００４２】
次に駆動機構は、第１キャリッジ２７０を副走査方向に一定の速度で移動させる。この移動に伴って発光部２４の光によって照射される原稿Ｐの位置も副走査方向に移動する。この間、原稿Ｐの表面で発光部２４の光が反射した反射光は、第１ミラー２６１，第２ミラー２６２，第３ミラー２６３によってレンズ２６４に導かれ、画像センサ２６５に結像し、画像情報として読み取られる。
【００４３】
原稿Ｐの読み取り終了位置（図４に二点鎖線で示す）まで第１キャリッジ２７０が移動すると、駆動機構は第２ホームポジションの位置まで、第１キャリッジ２７０を原稿Ｐの読み取り中よりも高速で移動させる。なお、原稿Ｐの読み取り終了位置は原稿Ｐの大きさによって異なる。
【００４４】
第１キャリッジ２７０が第２ホームポジションの位置から読み取り終了位置まで移動する間に読み取られた画像情報は、原稿Ｐの１枚分の画像情報ファイルとして図略の記憶部に記憶される。記憶部に記憶された画像情報は、必要に応じて画像形成部３に読み出され、トレイ４に格納された用紙に印刷される。
【００４５】
（第１透過窓２２及び第２透過窓の配置）
図５は、ケース２０ａを図１に示すＡ−Ａ断面で切り取って、発光部２４及び導光体２５を見た状態を示す。第１キャリッジ２７０は第１ホームポジションにあるものとする。導光体２５の第２斜面２５ｆは、第１透過窓２２に対向し、第２斜面２５ｆから放射された光は第１透過窓２２を透過する。
【００４６】
第１透過窓２２の表面には、第２斜面２５ｆから放射された光を拡散させながら透過させるための処理が施されている。より具体的には、第１透過窓２２の外側の表面には、例えば、フッ素系樹脂、シリコーン系樹脂、及びポリオレフィン系樹脂からなる群より選ばれる少なくとも一種を含有した塗布液を塗布するシボ加工が施された光拡散層２２０が形成されている。なお、図示はしていないが、第２透過窓２３の外側の表面にも上記と同様の光拡散層が形成されている。
【００４７】
図６は、操作部２１、第１透過窓２２及び第２透過窓２３の外観を示す。第１透過窓２２及び第２透過窓２３は、操作部２１の操作パネル２１０及び複数の操作ボタン２１１の周辺部に設けられ、利用者から視認可能である。
【００４８】
第１の読取モードによる原稿の読み取り時には、第１キャリッジ２７０が図２に示す第１ホームポジションに位置しており、第１透過窓２２は、この状態における発光部２４及び導光体２５に対応する位置に配置されている。従って、第１の読取モードによる原稿の読み取り時には、導光体２５の第２斜面２５ｆから放射された光が第１透過窓２２を透過する。
【００４９】
利用者は、第１透過窓２２を透過した光を見て、第１の読取モードによる原稿の読み取りが行われていることを認識できる。また、原稿Ｐの読み取りが終了した際には、ＬＥＤ２４１が消灯して第１透過窓２２が原稿読み取り中よりも暗くなるので、利用者は操作パネル２１を操作及び目視し得る距離以上に画像形成装置１００から離れた場所からでも、原稿Ｐの読み取りが終了したことを認識できる。
【００５０】
第２透過窓２３は副走査方向に沿って配置されており、その一端部２３ａは、第２の読取モードにおける第２ホームポジションに第１キャリッジ２７０が位置する場合の発光部２４及び導光体２５に対応する位置に形成されている。また、第２透過窓２３側の他端部２３ｂは、第２の読取モードにおける読み取り終了位置（画像読取装置１が読み取り可能な最大サイズの原稿Ｐの読み取り終了位置）に第１キャリッジ２７０が位置する場合の発光部２４及び導光体２５に対応する位置に形成されている。
【００５１】
第２の読取モードによる原稿の読み取り時には、第２透過窓２３の一端部２３ａから他端部２３ｂに向かって導光体２５の第２斜面２５ｆから放射された光が透過する部分が移動するので、利用者は操作パネル２１を操作及び目視し得る距離以上に画像形成装置１００から離れた場所からでも、原稿Ｐの読み取り状況を認識できる。
【００５２】
第１透過窓２２及び第２透過窓２３は、その形態（形状、模様、色彩又はそれらの組合せ）を異なるものにし、利用者が離れた位置からでも何れの透過窓から光が透過しているかを認識できるようにしてもよい。例えば、第１透過窓２２を青色に、第２透過窓２３を緑色に着色したり、第１透過窓２２の表面には全面に光拡散層を形成する一方、第２透過窓２３には幅方向の中央部に光拡散層が形成されていない線状の領域を設けてもよい。
【００５３】
（他の実施の形態）
なお、本発明は、上記各実施の形態に限定されず、その要旨を変更しない範囲内で種々な変形が可能である。例えば、第１透過窓２２及び第２透過窓２３を透過する光を拡散させるための構成は、これら透過窓の表面に光拡散層を形成することの他、例えば図７（ａ）及び（ｂ）に示すように、導光体２５０，２５１の第１斜面２５０ｅ，２５１ｅを波型に形成し、第２斜面２５０ｆ，２５１ｆから放射される光を拡散させてもよい。
【００５４】
また、原稿Ｐを読み取った結果として記憶部に記憶された画像情報ファイルは、画像形成部３に出力される他、画像読取装置１に接続された通信線を通じて他のコンピュータ等に読み出されるようにしてもよい。また、画像情報ファイルを読取部２０に着脱可能な記憶媒体に記憶するようにしてもよい。
【００５５】
また、上記実施の形態では、画像読取部がケース２０ａに対する原稿Ｐの副走査方向への移動中に原稿Ｐの画像を読み取る第１の読取モードと、画像読取部が原稿台２０１に置かれた原稿Ｐの画像を読み取る第２の読取モードとを、利用者の操作に応じて切り替え可能としたが、第１及び第２の読取モードのうち、一方のみを有する画像読取装置又は画像形成装置に本発明を適用してもよい。なお、この場合は、ケース２０ａに第１透過窓２２及び第２透過窓２３の一方が設けられることとなる。
【符号の説明】
【００５６】
１００・・・画像形成装置、１・・・画像読取装置、１０・・・自動給紙部、２０・・・読取部、３・・・画像形成部、４・・・トレイ、５・・・支持部、１１・・・給紙トレイ、１２・・・排紙台、１３・・・原稿分離ロール、１４・・・原稿搬送ロール、１５・・・読取ロール、１６・・・排出ロール、２０ａ・・・ケース、２０ｂ・・・収容空間、２０ｃ，２０ｄ・・・側面、２１・・・操作部、２１・・・操作パネル、２２・・・第１透過窓、２３・・・第２透過窓、２４・・・発光部、２５・・・導光体、２５ａ・・・入射面、２５ｂ・・・放射面、２５ｃ・・・側面、２５ｄ・・・先端部、２５ｅ・・・第１斜面、２５ｆ・・・第２斜面、２７ａ・・・固定部、３１・・・用紙排出部、３２・・・用紙排出台、４１・・・第１トレイ部、４２・・・第２トレイ部、４３・・・第３トレイ部、１００・・・画像形成装置、２０１・・・原稿台、２０２・・・窓部、２１０・・・操作パネル、２１１・・・操作ボタン、２２０・・・光拡散層、２４０・・・基板、２５０，２５１・・・導光体、２５０ｅ，２５１ｅ・・・斜面、２６０・・・リフレクタ、２６１・・・第１ミラー、２６２・・・第２ミラー、２６３・・・第３ミラー、２６４・・・レンズ、２６５・・・画像センサ、２７０・・・第１キャリッジ、２７１・・・モータ、２７１ａ・・・プーリ、２７２・・・第２キャリッジ、２７２ａ・・・大径プーリ、２７２ｂ・・・小径プーリ、２７３・・・固定プーリ、２７４・・・ワイヤ、Ａ１・・・第１領域、Ａ２・・・第２領域、Ｐ・・・原稿、Ｒ０，Ｒ１，Ｒ２・・・光
【図１】
2011024171.tif 000003
【図２】
2011024171.tif 000004
【図３】
2011024171.tif 000005
【図４】
2011024171.tif 000006
【図５】
2011024171.tif 000007
【図６】
2011024171.tif 000008
【図７】
2011024171.tif 000009